(57)【要約】【課題】  簡単かつ安価な手段で、側部やコーナー部の商品貯蔵部の冷却効果を向上させうる冷蔵オープンショーケースを提供する。【解決手段】  冷蔵オープンショーケースにおける側面商品貯蔵部２の右側方の外ケース３と内ケース４との間に、冷気循環経路５ｃと連通し、その中の冷気が導入される冷気導入ダクト１６を設け、これに導入された冷気を、上端部に設けた冷気吹出口１８より、側面商品貯蔵部２に向かって吹き出させる。【選択図】  図３
2006162118.tif 000002
【特許請求の範囲】
【請求項１】
少なくとも前面が開放され、内部に商品貯蔵部を有する外ケースと内ケースとの間に、冷却器と送風機を収容してなる冷気循環経路を形成し、該冷気循環経路と連通する後部上端の正面冷気吹出口から吹き出された冷気を、前記外ケースと内ケースとの間の前端上部に設けた冷気吹込口より吸引することにより、開放面に冷気のエアカーテンを形成し、商品貯蔵部内の商品を保冷するようにした冷蔵オープンショーケースにおいて、
前記商品貯蔵部の少なくとも一側方における外ケースと内ケースとの間に、前記冷気循環経路と連通し、かつその中の冷気の一部が導入される側部冷気導入路を設け、該側部冷気導入路に導入された冷気を、前記外ケースと内ケースとの間の側端上部に設けた側部冷気吹出口より、商品貯蔵部内に向かって吹き出させるようにしたことを特徴とする冷蔵オープンショーケース。
【請求項２】
一側方の外ケースと内ケースとを閉じ断面形状として、それらの間に前後方向を向く側部冷気導入路を形成するとともに、内ケースの上端部の垂直面に、商品貯蔵部に向かって開口する側部冷気吹出口を設けた請求項１に記載の冷蔵オープンショーケース。
【請求項３】
側部冷気導入路を、外ケースと内ケースとの間に設けた前後方向を向く冷気導入ダクトにより形成し、該冷気導入ダクトの上部に、商品貯蔵部に向かって開口する側部冷気吹出口を設けた請求項１に記載の冷蔵オープンショーケース。
【請求項４】
冷却器の下流側の冷気循環経路内に、冷気の一部を側部冷気導入路に向かって分流させる仕切り部を設けた請求項１ないし３のいずれかに記載の冷蔵オープンショーケース。
【請求項５】
仕切り部と側部冷気導入路との間に、冷気を、側部冷気導入路に送り込む補助送風機を設けた請求項４に記載の冷蔵オープンショーケース。
【請求項６】
商品貯蔵部が正面側と一側面側とに連続して形成され、一側面も開放されている冷蔵オープンショーケースにおいて、冷却器を一側方の商品貯蔵部側に延設するとともに、複数設けた送風機のうちの少なくとも１個を、一側方の商品貯蔵部側に寄せて設けた請求項１ないし５のいずれかに記載の冷蔵オープンショーケース。
【請求項７】
側方の商品貯蔵部側の上方に少なくとも１段の陳列棚を設けるとともに、一側面上部に、側方の商品貯蔵部に向かって冷気を吹き出す側面冷気吹出口を設け、該側面冷気吹出口よりの冷気により、前記陳列棚の上方にエアカーテンを形成するとともに、一側方の側部冷気吹出口よりの冷気により、陳列棚の下方にエアカーテンが形成されるようにした請求項６に記載の冷蔵オープンショーケース。
【発明の詳細な説明】
【技術分野】
【０００１】
本発明は、スーパーマーケット等において使用される冷蔵オープンショーケースに係り、特に、側部やコーナー部の冷却効果を向上させ得るようにした冷蔵オープンショーケースに関する。
【背景技術】
【０００２】
冷蔵オープンショーケースの中には、前面と少なくとも一側面とが開放されたラウンド型のものや（例えば特許文献１参照）、このラウンド型の冷蔵オープンショーケースを背中合わせに連結して、中島状のオープンショーケースを形成したもの（例えば特許文献２及び３参照）などがある。
【０００３】
【特許文献１】特開平１１−１５９９３８号公報
【特許文献２】特開２００１−２２１５６０号公報
【特許文献３】特許第２８８０４６４号公報
【発明の開示】
【発明が解決しようとする課題】
【０００４】
上記特許文献１に記載されているラウンド型の冷蔵オープンショーケースにおいては、後部ケース上方の正面と側面の冷気吹出口から吹き出された冷気を、ケースの前部と一側部の上方の冷気吹込口より吸入することにより、正面と一側部の開放面の上方に冷気のエアカーテンを形成するようにし、かつコーナー部の冷却効果を高めるために、送風機を、側方の開放面側に寄せて設けてある。
【０００５】
しかしながら、側面の冷気吹出口より吹き出される冷気の量は、物理的に少ないため、側部やコーナー部に形成されるエアカーテンの層は自ずと薄くなり、側部やコーナー部が効果的に冷却されないという問題がある。
【０００６】
特許文献２に記載の冷蔵ショーケースは、風路偏向手段により流動させられた冷気を、コーナー部の上部の冷気吹出口から下部の吸込み口に向かって吹き出させ、コーナー部の開放面にエアカーテンが形成されるようにしているが、コーナー部の冷気吹出口の開口幅が小さいため、コーナー部に形成されるエアカーテンの拡がりも小さく、大きな冷却効果は期待できない。
【０００７】
特許文献３に記載の冷蔵ショーケースは、ケース本体内の冷気ダクトを、コーナー部付近まで延出させるとともに、冷気ダクト内に、より大型の冷却器と複数のファンを設け、コーナー部の冷却効果を向上させるようにしている。しかし、このような冷蔵ショーケースでは、コスト高となるだけでなく、消費電力も大きくなるので、ランニングコストが嵩むという問題がある。
【０００８】
本発明は、上記問題点を解決するためになされたもので、簡単かつ安価な手段で、側部やコーナー部の商品貯蔵部の冷却効果を向上させ得るようにした冷蔵オープンショーケースを提供することを目的としている。
【課題を解決するための手段】
【０００９】
上記目的を達成するために、請求項１に記載の冷蔵オープンショーケースは、少なくとも前面が開放され、内部に商品貯蔵部を有する外ケースと内ケースとの間に、冷却器と送風機を収容してなる冷気循環経路を形成し、該冷気循環経路と連通する後部上端の正面冷気吹出口から吹き出された冷気を、前記外ケースと内ケースとの間の前端上部に設けた冷気吹込口より吸引することにより、開放面に冷気のエアカーテンを形成し、商品貯蔵部内の商品を保冷するようにした冷蔵オープンショーケースにおいて、
前記商品貯蔵部の少なくとも一側方における外ケースと内ケースとの間に、前記冷気循環経路と連通し、かつその中の冷気の一部が導入される側部冷気導入路を設け、該側部冷気導入路に導入された冷気を、前記外ケースと内ケースとの間の側端上部に設けた側部冷気吹出口より、商品貯蔵部内に向かって吹き出させるようにしたことを特徴としている。
この特徴によれば、商品貯蔵部の一側方の外ケースと内ケースとの間に側部冷気導入路を設け、これに導入された冷気を、側部上端の側部冷気吹出口より、商品貯蔵部内に向かって吹き出させているため、側部やコーナー部の商品貯蔵部の冷却効果が向上する。
また、側部冷気導入路を、冷気循環経路と連通状に設けるのみでよいので、構造が簡単であり、かつ安価に実施することができる。
【００１０】
本発明の請求項２に記載の冷蔵オープンショーケースは、請求項１に記載の冷蔵オープンショーケースであって、一側方の外ケースと内ケースとを閉じ断面形状として、それらの間に前後方向を向く側部冷気導入路を形成するとともに、内ケースの上端部の垂直面に、商品貯蔵部に向かって開口する側部冷気吹出口を設けたことを特徴としている。
この特徴によれば、側部冷気導入路及び側部冷気吹出口を、外ケースと内ケースの構造を若干変更するだけで安価に設けることができる。
【００１１】
本発明の請求項３に記載の冷蔵オープンショーケースは、請求項１に記載の冷蔵オープンショーケースであって、側部冷気導入路を、外ケースと内ケースとの間に設けた前後方向を向く冷気導入ダクトにより形成し、該冷気導入ダクトの上部に、商品貯蔵部に向かって開口する側部冷気吹出口を設けたことを特徴としている。
この特徴によれば、冷気導入ダクトを別途製作してユニット化し、既存の冷蔵オープンショーケースに後付けすることが可能となり、該既存の冷蔵オープンショーケースの側部やコーナー部の冷却効果を改善することができる。
【００１２】
本発明の請求項４に記載の冷蔵オープンショーケースは、請求項１ないし３のいずれかに記載の冷蔵オープンショーケースであって、冷却器の下流側の冷気循環経路内に、冷気の一部を側部冷気導入路に向かって分流させる仕切り部を設けたことを特徴としている。
この特徴によれば、冷却器を通過した冷気循環経路内の冷気を、仕切り部により分流させて側部冷気導入路に確実に導入することができる。
【００１３】
本発明の請求項５に記載の冷蔵オープンショーケースは、請求項４に記載の冷蔵オープンショーケースであって、仕切り部と側部冷気導入路との間に、冷気を、側部冷気導入路に送り込む補助送風機を設けたことを特徴としている。
この特徴によれば、仕切り部により分流された冷気を、補助送風機により強制的に側部冷気導入路に送り込むので、側部冷気吹出口よりの冷気の吹き出し量が多くなり、側部及びコーナー部の冷却効果がより向上する。
【００１４】
本発明の請求項６に記載の冷蔵オープンショーケースは、請求項１ないし５のいずれかに記載の冷蔵オープンショーケースであって、商品貯蔵部が正面側と一側面側とに連続して形成され、一側面も開放されている冷蔵オープンショーケースにおいて、冷却器を一側方の商品貯蔵部側に延設するとともに、複数設けた送風機のうちの少なくとも１個を、一側方の商品貯蔵部側に寄せて設けたことを特徴としている。
この特徴によれば、冷却器及び送風機を、一側方の商品貯蔵部側に寄せているので、冷気循環経路の冷気が積極的に側部冷気導入路に向かって流れ込むようになる。
【００１５】
本発明の請求項７に記載の冷蔵オープンショーケースは、請求項６に記載のオープンショーケースであって、側方の商品貯蔵部側の上方に少なくとも１段の陳列棚を設けるとともに、一側面上部に、側方の商品貯蔵部に向かって冷気を吹き出す側面冷気吹出口を設け、該側面冷気吹出口よりの冷気により、前記陳列棚の上方にエアカーテンを形成するとともに、一側方の側部冷気吹出口よりの冷気により、陳列棚の下方にエアカーテンが形成されるようにしたことを特徴としている。
この特徴によれば、陳列棚に載置した商品は上方のエアカーテンにより、かつ商品陳列部の側部及びコーナー部に載置した商品は下方のエアカーテンにより、それぞれ効果的に保冷されるようになる。
【発明を実施するための最良の形態】
【００１６】
以下、本発明の実施形態を図面に基づいて説明する。
【００１７】
図１は、本発明の冷蔵オープンショーケースの斜視図、図２は、同じく中央縦断側面図、図３は、一部を切欠いて示す平面図、図４は、図３のIV−IV線に沿う拡大縦断正面図、  図５は、同じく、Ｖ−Ｖ線に沿う拡大縦断正面図である。
【００１８】
冷蔵オープンショーケースは、前面と右側面及び左側面の一部が開放されたラウンド型のものよりなり、正面商品貯蔵部１と側面商品貯蔵部２とが、互いに同一面に連続して形成されている。
【００１９】
冷蔵オープンショーケースの本体は、図２に示すように、前端に上向きの正面板３ａを有するＬ字状断面の断熱性の外ケース３と、その内方に離間して設けられたＬ字状断面の内ケース４とを備え、それらの間には、冷気循環経路５が形成されている。
【００２０】
外ケース３の底板３ｂと内ケース４の底板４ａは、側面商品貯蔵部２側まで延設され、底部の冷気循環経路５ａは、側面商品貯蔵部２の下部まで連続して形成されている。
【００２１】
内ケース４の上下方向を向く後面板４ｂの前面には、上下２段の陳列棚６、６が、側面商品貯蔵部２の上方まで延出するようにして、ブラケット７により支持されている。
【００２２】
内ケース４における後面板４ｂの上端の前面と右側面とには、図３にも示すように、それぞれ前下方に開口する正面冷気吹出口８と右下方に開口する側面冷気吹出口９とが、上下方向を向く後部の冷気循環経路５ｂの上端と連通するようにして形成されている。また、外ケース３の正面板３ａと、内ケース４の前端の前部内面板４ｃとの間の上端には、斜め後ろ上方に開口する冷気吹込口１０が形成されている。
【００２３】
外ケース３と内ケース４間の底部の冷気循環経路５ａ内には、左右方向に並ぶ３個の送風機１１と、それらの後方に冷却器１２とが収容されている。
【００２４】
図３に示すように、左側と中央の２個の送風機１１は、正面商品貯蔵部１側に、右側の１個の送風機１１は、側面商品貯蔵部２側に寄せて、それぞれ設けられている。また、冷却器１２の左右寸法も、側面商品貯蔵部２側まで延出する長さとしてある。
【００２５】
各送風機１１により吸い込まれ、冷却器１２に送り込まれた空気は、該冷却器１２により熱交換されて冷気となり、上下方向を向く冷気循環経路５ｂに導入される。そして、正面冷気吹出口８より吹き出された冷気が、前部の冷気吸込口１０に向かって下降することにより、図２の矢印で示すように、正面商品貯蔵部１の前面開放部に冷気のエアカーテンが形成され、陳列棚６上の商品及び主として正面商品貯蔵部１内の商品が保冷される。
【００２６】
また同時に、側面冷気吹出口９より吹き出された冷気が右下方に下降することにより、側方の陳列棚６の上方にエアカーテンが形成され、それに載置した商品が保冷される。
【００２７】
図３及び図４に示すように、上下方向を向く冷気循環経路５ｂの右側方かつ冷却器１２の右端部後方において、外ケース３の底板３ｂと内ケース４の底板４ａとの間に形成されている左右方向を向く冷気循環経路５ｃの左方寄りには、冷却器１２より出た冷気を左方と右方に分流させる仕切板１３が設けられている。
【００２８】
また、仕切板１３の右方の冷気循環経路５ｃ内には、その中の冷気を右側方に送風させる補助送風機１４が設けられている。
【００２９】
外ケース３の右端の側面板３ｃと、内ケース４の右端の側部内面板４ｄとの間には、冷気循環経路５、５ｃに連通する、上端が開口された冷気導入空間１５が前後方向に向かって形成され、この冷気導入空間１５内には、後端部が補助送風機１４よりも下流側の冷気循環経路５ｃ内に若干突入する冷気導入ダクト１６が収容されている。
【００３０】
冷気導入ダクト１６における冷気循環経路５ｃ内の左端面には、冷気の導入口１７が開口され、また図５に示すように、冷気導入ダクト１６の上端部前面には、陳列棚６の側端部下方の側面商品貯蔵部２に向かって開口するルーバ状の側部冷気吹出口１８が、前端部付近まで連続して形成されている。
【００３１】
主として右端部側の送風機１１により送風され、冷却器１２の右側部後方より流出した冷気は、仕切板１３により分流されて積極的に冷気循環経路５ｃ内に流出し、かつ補助送風機１４により強制的に冷気導入ダクト１６内に供給される。
【００３２】
冷気導入ダクト１６内に流入した冷気は、その上端部前面の側部冷気吹出口１８より側面商品貯蔵部２に向かって勢いよく吹き出される。
【００３３】
これにより、側面商品貯蔵部２内の陳列商品が直接冷却されるか、または、その上方に冷気のエアカーテンが形成されることにより保冷される。従って、上記実施形態のように、正面商品貯蔵部１の側方に側面商品貯蔵部２が延設されたラウンド型の冷蔵オープンショーケースであっても、冷却効果が小さいとされている側面商品貯蔵部２や前部のコーナー部の冷却効果を大幅に向上させることができる。
【００３４】
また、前述したよに、陳列棚６の右側部上には、側面吹出口９より吹き出された冷気によりエアカーテンが形成されるため、それに載置した陳列商品も効果的に保冷される。
【００３５】
図６は、本発明の他の実施形態を示すもので、外ケース３と内ケース４間の右側端に、後端部の内側面が上記と同様、仕切板１３と補助送風機１４を有する冷気循環経路５ｃに連通する閉じ断面形状の側部冷気導入路１９を形成するとともに、内ケース４の右端の側部内面板４ｄの上端に、側面商品貯蔵部２に向かって開口する冷気吹出口２０を直接設けたものである。
【００３６】
このようにしても、上述の実施形態と同様の作用効果を奏することができる。また、外ケース３と内ケース４の右側部の構造を若干変更するだけで、側部冷気導入路１９及び側部冷気吹出口２０を簡単かつ安価に形成し、側面商品貯蔵部２の冷却効果を向上することができる。
【００３７】
本発明は、上記のようなラウンド型の冷蔵オープンショーケースに適用すると、側面商品貯蔵部２やコーナー部を効果的に冷却しうるが、前面のみが開放された通常の冷蔵オープンショーケースの、正面貯蔵部の側端部にも適用することができる。
【図面の簡単な説明】
【００３８】
【図１】本発明を適用したラウンド型の冷蔵ショーケースの斜視図である。
【図２】同じく、中央縦断側面図である。
【図３】同じく、一部を切欠いて示す平面図である。
【図４】図３のIV−IV線に沿う拡大縦断正面図である。
【図５】同じく、Ｖ−Ｖ線に沿う拡大縦断正面図である。
【図６】本発明の他の実施形態を示す図５と同部位の縦断正面図である。
【符号の説明】
【００３９】
１                  正面商品貯蔵部          
２                  側面商品貯蔵部          
３                  外ケース
３ａ                正面板
３ｂ                  底板
３ｃ                  側面板
４                    内ケース        
４ａ                  底板
４ｂ                  後面板
４ｃ                  前部内面板
４ｄ                  側部内面板            
５、５ａ、５ｂ、５ｃ  冷気循環経路
６                    陳列棚          
７                    ブラケット          
８                    正面冷気吹出口          
９                    側面冷気吹出口
１０                  冷気吸込口
１１                  送風機
１２                  冷却器
１３                  仕切板（仕切り部）
１４                  補助送風機
１５                  冷気導入空間
１６                  冷気導入ダクト
１７                  導入口
１８                  側部冷気吹出口
１９                  側部冷気導入路
２０                  側部冷気吹出口
【図１】
2006162118.tif 000003
【図２】
2006162118.tif 000004
【図３】
2006162118.tif 000005
【図４】
2006162118.tif 000006
【図５】
2006162118.tif 000007
【図６】
2006162118.tif 000008